(57)【要約】【課題】ベルト式無段変速装置の無端ベルトの耐久性を高める。【解決手段】複数の無端ベルト層の重合体よりなる一対の無端ベルト部材と、中央の首部とその両側に延在する一対の肩部とを有し、首部と肩部の間の境界部には窪みが形成されており、該一対の肩部の各々にて一対の無端ベルト部材の各々と係合するよう構成された多数の板状の駒部材とを備え、プーリの間に掛け渡される無段変速装置用の無端ベルトに於いて、複数の無端ベルト層のうちの最内層の駒部材の首部に近い側のみの側縁帯域に対し内面表層の耐久性を向上させる措置を講ずる。【選択図】図４
2006038100.tif 000002
【特許請求の範囲】
【請求項１】
複数の無端ベルト層の重合体よりなる一対の無端ベルト部材と、中央の首部とその両側に延在する一対の肩部とを有し、前記首部と前記肩部との間の境界部には窪みが形成されており、該一対の肩部の各々にて前記一対の無端ベルト部材の各々と係合するよう構成された多数の板状の駒部材とを備え、中心軸線に沿って互いに対向する円錐状のベルト係合面を呈する一対のプーリ半体よりなる複数のプーリの間に掛け渡される無段変速装置用の無端ベルトにして、前記複数の無端ベルト層のうちの最内層の側縁帯域であって前記駒部材の首部に近い側のみの側縁帯域に局部曲げに対する内面表層の耐久性を向上させる措置が施されていることを特徴とする無端ベルト。
【請求項２】
前記最内無端ベルト層の前記側縁帯域の内面表層の局部曲げに対する耐久性を向上させる措置は、前記側縁帯域の内面表層を切除することであることを特徴とする請求項１に記載の無端ベルト。
【請求項３】
前記最内無端ベルト層の前記側縁帯域の内面表層の局部曲げに対する耐久性を向上させる措置は、前記最内無端ベルト層の前記側縁帯域に対しそれより外側にある無端ベルト層から及ぼされる前記局部曲げによる曲げ荷重を低減することであることを特徴とする請求項１に記載の無端ベルト。
【請求項４】
前記最内無端ベルト層の前記側縁帯域に対しそれより外側にある無端ベルト層から及ぼされる前記局部曲げによる曲げ荷重を低減することは、前記複数の無端ベルト層のうちの前記最内無端ベルト層の上に重なる少なくとも一つの無端ベルト層に於いて前記最内無端ベルト層の前記側縁帯域上に重なる側縁帯域の厚みを低減することであることを特徴とする請求項３に記載の無端ベルト。
【請求項５】
前記最内無端ベルト層の前記側縁帯域に対しそれより外側にある無端ベルト層から及ぼされる前記局部曲げによる曲げ荷重を低減することは、前記複数の無端ベルト層のうちの少なくとも二つの互いに隣接する無端ベルト層の少なくとも一方に於ける他方に対向する面に沿って前記最内無端ベルト層の前記側縁帯域上に重なる側縁帯域の厚みを低減することであることを特徴とする請求項３に記載の無端ベルト。
【請求項６】
前記側縁帯域の厚みの低減はその低減代が該側縁帯域の内側から外側へ向けて次第に増大する態様になされていることを特徴とする請求項４または５に記載の無端ベルト。
【請求項７】
前記の局部曲げに対する耐久性を向上させる措置が施される前記側縁帯域は前記窪み上に突き出る可能性のある側縁帯域のみであることを特徴とする請求項１〜６のいずれかに記載の無端ベルト。
【請求項８】
中央の首部とその両側に延在する一対の肩部とを有し、前記首部と前記肩部との間の境界部には窪みが形成されている多数の板状の駒部材の該一対の肩部の各々と係合するよう構成された複数の無端ベルト層の重合体よりなる一対の無端ベルト部材にして、前記複数の無端ベルト層のうちの最内層の側縁帯域であって前記駒部材の首部に近い側のみの側縁帯域に局部曲げに対する内表面層の耐久性を向上させる措置が施されていることを特徴とする無端ベルト部材。
【発明の詳細な説明】
【技術分野】
【０００１】
本発明は、複数の無端ベルト層の重合体よりなる無端ベルト部材と、肩部にて前記無端ベルト部材と係合するよう構成された多数の板状の駒部材とを備え、中心軸線に沿って互いに対向する円錐状のベルト係合面を呈する一対のプーリ半体よりなる複数のプーリの間に掛け渡される無段変速装置用の無端ベルトに係り、特にそのような無端ベルトの側縁帯域の局部曲げに対する耐久性を向上し、無端ベルトの寿命の延長を図ることに係る。
【背景技術】
【０００２】
上記の如き構成のベルト式無段変速装置は、それが掛け渡された複数のプーリの各々に於ける一対のプーリ半体間の幅を互いに相反的に変更することにより、それら複数のプーリの間に伝達される回転動力の各プーリに於ける回転速度を相対的に無段階に変更することができるので、車輌用変速装置の一つの好ましい形態として注目されている。
【０００３】
上記の如き無端ベルトに於いては、無端ベルト部材はプーリの周りを回る度に繰り返し曲げられるが、曲げ応力は曲げ半径をρ、ベルトの厚みをｔ、ベルト材の弾性係数をＥとすると、ベルトの最外部でＥ・ｔ／２ρであることに鑑み、ベルトの内側部の一部をベルトの両側縁部或いはその間の中間部にてベルトの無端延在方向に沿って溝型に切除することによりベルトの曲げ中立面をベルトの外周側へ遷移させ、それに応じてρを増大させることによりＥ・ｔ／２ρの値の低減を図ることが下記の特許文献１に記載されている。
【特許文献１】実開昭５７-６８９４７
【０００４】
また、上記の如き無段変速装置用無端ベルトであって、無端ベルトが複数の無端金属帯の重合体よりなる場合に、無端金属帯間の摩擦による損傷を防ぐべく無端金属帯間に潤滑油を含ませておくことに関し、潤滑油が無端金属帯間によりよく保持されるよう無端金属帯の表面に小さな窪みを形成しておくという従来公知の技術の実行上の困難性に鑑み、各無端金属帯をその中央部にて両側縁部より厚い横断面を有する形状とし、かかる無端金属帯の重ね合わせにより無端金属帯間に潤滑油を保持する楔状空隙を形成させることが下記の特許文献２に記載されている。
【特許文献２】実開昭５８−１４８６
【０００５】
また、上記の如き無段変速装置用無端ベルトに於いては、肩部に対しベルトが横ずれすることなく正しく整合することを助けるため、駒部材の肩部を僅かに中高に形成しておくことが知られているが、無端ベルトが複数の無端ベルト層の重合体よりなるときには、肩部の中高によるベルト整合効果が外側部の無端ベルト層まで十分に及ばないことに鑑み、無端ベルト重合層を構成する各無端ベルト層の両側縁部の厚みを減らし、無端ベルト層の横断面形状を中高断面形状にしておくことが下記の特許文献３および４に記載されている。
【特許文献３】特開昭６１−２９０２５７
【特許文献４】実開昭６１−１６２６３７
【発明の開示】
【発明が解決しようとする課題】
【０００６】
上記特許文献１〜４に於ける如く無端ベルト部材の両側縁部が削られると、無端ベルト部材が駒部材を介してプーリ上に着座するとき無端ベルト部材に掛かる張力により無端ベルト部材はその両側縁部に沿って曲げられ、不用な曲げ応力を受けることになる。また、平らな無端ベルトを円筒状プーリの周りに掛け渡したベルト式伝動装置の基本構成に於いては、プーリに対するベルトの横ずれを抑えるため、プーリの円筒状外周面を僅かに中高の所謂ビール樽形状とすることが古くから知られており、同じ作動原理から、無端ベルト部材と、肩部にて前記無端ベルト部材と係合するよう構成された多数の板状の駒部材とを備え、中心軸線に沿って互いに対向する円錐状のベルト係合面を呈する一対のプーリ半体よりなる複数のプーリの間に掛け渡される無段変速装置用の無端ベルトに於いても、肩部に対するベルトの横ずれを抑えるべく駒部材の肩部を僅かに中高に形成しておくことが古くから知られている。しかし、かかる駒部材肩部の中高構成、或はこれに上記特許文献３または４に記載の如き重合層型無端ベルト部材の各無端ベルト層の両側縁部の厚みを減らし、無端ベルト層の横断面形状を中高とする構成を加えても、無段変速装置の作動中常に無端ベルト部材を駒部材の肩部に対し高精度に整合した状態に維持することは困難であり、実機に於いては、肩部に対する無端ベルト部材の多少の横ずれを見込んで諸寸法の設計がなされる。
【０００７】
一方、この種の無端ベルトに於ける駒部材は、通常、首部と肩部とを一体に有するよう鋼板から打ち抜かれた物品として造られており、首部と肩部の間の境界部には鋼板打抜きに当って強度を確保すべく、首部から肩部への滑らかな遷移を図る湾曲した窪みが形成されている。無端ベルト部材は、設計上無端ベルトに許される横幅寸法の範囲内にてできるだけ高い駆動荷重を担持することができるよう、できるだけ大きい横幅寸法を有するように設計されるので、首部と肩部の間の境界部に上記の湾曲した窪みが形成されれば、無端ベルト部材が肩部に対し横ずれすることによりその側縁部が肩部の側縁より上記の窪み上に突き出る可能性はそれだけ大きくなり、また現に多くの実機に於いてそれが生じていることが観察される。
【０００８】
しかし、かかる肩部側縁からの無端ベルト部材側縁の突出しが生ずると、無端ベルト部材が特に複数の無端ベルト層の重合体よりなる場合、複数の無端ベルト層のうちの最内層の側縁部であって肩部により支持されない側縁帯域に於ける内面表層に繰返し応力の作用による強度低下が起こりやすいことが分かった。
【０００９】
本発明は、上記の認識と知見に基づき、この種の無段変速装置用無端ベルトの耐久性を効果的に高めることを課題としている。
【課題を解決するための手段】
【００１０】
上記の課題を解決するものとして、本発明は、複数の無端ベルト層の重合体よりなる一対の無端ベルト部材と、中央の首部とその両側に延在する一対の肩部とを有し、前記首部と前記肩部の間の境界部には窪みが形成されており、該一対の肩部の各々にて前記一対の無端ベルト部材の各々と係合するよう構成された多数の板状の駒部材とを備え、中心軸線に沿って互いに対向する円錐状のベルト係合面を呈する一対のプーリ半体よりなる複数のプーリの間に掛け渡される無段変速装置用の無端ベルトにして、前記複数の無端ベルト層のうちの最内層の側縁帯域であって前記駒部材の首部に近い側のみの側縁帯域に局部曲げに対する内面表層の耐久性を向上させる措置が施されていることを特徴とする無端ベルトを提案するものである。
【００１１】
前記最内無端ベルト層の前記側縁帯域の内面表層の局部曲げに対する耐久性を向上させる措置は、前記側縁帯域の内面表層を切除することであってよい。
【００１２】
或はまた、前記最内無端ベルト層の前記側縁帯域の内面表層の局部曲げに対する耐久性を向上させる措置は、前記最内無端ベルト層の前記側縁帯域に対しそれより外側にある無端ベルト層から及ぼされる前記局部曲げによる曲げ荷重を低減することであってよい。
【００１３】
前記最内無端ベルト層の前記側縁帯域に対しそれより外側にある無端ベルト層から及ぼされる前記局部曲げによる曲げ荷重を低減することは、前記複数の無端ベルト層のうちの前記最内無端ベルト層の上に重なる少なくとも一つの無端ベルト層に於いて前記最内無端ベルト層の前記側縁帯域上に重なる側縁帯域の厚みを低減することであってよい。この場合、前記側縁帯域の厚みの低減はその低減代が該側縁帯域の内側から外側へ向けて次第に増大する態様になされてよい。
【００１４】
また、前記最内無端ベルト層の前記側縁帯域に対しそれより外側にある無端ベルト層から及ぼされる前記局部曲げによる曲げ荷重を低減することは、前記複数の無端ベルト層のうちの少なくとも二つの互いに隣接する無端ベルト層の少なくとも一方に於ける他方に対向する面に沿って前記最内無端ベルト層の前記側縁帯域上に重なる側縁帯域の厚みを低減することであってもよい。この場合にも、前記側縁帯域の厚みの低減はその低減代が該側縁帯域の内側から外側へ向けて次第に増大する態様になされてよい。
【００１５】
前記の局部曲げに対する耐久性を向上させる措置が施される前記側縁帯域は、特に前記窪み上に突き出る可能性のある側縁帯域のみであってよい。
【００１６】
尚、以上は上記の課題を解決する本発明を無端ベルトとして表現したが、中央の首部とその両側に延在する一対の肩部とを有し、前記首部と前記肩部との間の境界部には窪みが形成されている板状の駒部材は従来より公知のものであるので、本発明の本質は、そのような駒部材の該一対の肩部の各々と係合するよう構成された複数の無端ベルト層の重合体よりなる一対の無端ベルト部材にして、前記複数の無端ベルト層のうちの最内層の側縁帯域であって前記駒部材の首部に近い側のみの側縁帯域に局部曲げに対する内表面層の耐久性を向上させる措置が施されていることを特徴とする無端ベルト部材にある。
【発明の効果】
【００１７】
無端ベルトが、特に複数の無端ベルト層の重合体よりなる一対の無端ベルト部材と、中央の首部とその両側に延在する一対の肩部とを有し、前記首部と前記肩部の間の境界部には窪みが形成されており、該一対の肩部の各々にて前記一対の無端ベルト部材の各々と係合するよう構成された多数の板状の駒部材とを備え、中心軸線に沿って互いに対向する円錐状のベルト係合面を呈する一対のプーリ半体よりなる複数のプーリの間に掛け渡される無段変速装置用の無端ベルトである場合には、プーリの周りを走行する湾曲状態の無端ベルト部材に張力が作用している状態で、前記駒部材の首部に近い側の無端ベルト部材の側縁部は、駒部材の肩部より前記窪み上にはみ出すことによって肩部による支持を失い、該ベルト側縁部がそこに作用する張力によりプーリの中心へ向けて内側に局部的に湾曲される虞れがあり、そのとき無端ベルト部材が複数の無端ベルト層の重合体よりなっていると、無端ベルト部材は厚み方向に重なる各無端ベルト層間で相互に横方向にずれることができることによって曲がりやすく、駒部材の首部に近い側の側縁部に於いてのみ大きく局部的に内向きに湾曲し、特に最内層の無端ベルト層は、それ自身の側縁部に作用する張力とその上に重なり合う各無端ベルト層から下向き（プーリ中心へ向かう向き）に及ぼされる押圧力とにより、最も大きく曲げられ、かかる繰返し曲げにより無端ベルト部材の耐久性は、最内無端ベルト層の一方の側のみの側縁帯域の内面表層に於いて最も厳しくなる。そこで、複数の無端ベルト層のうちの最内層の側縁帯域であって駒部材の首部に近い側のみの側縁帯域に対し局部曲げに対する内面表層の耐久性を向上させる措置が施されれば、無端ベルト層のその他の部分、特に他方の側縁部は無垢のままとして、無端ベルト層の耐久性を効果的に向上させることができる。
【００１８】
最内無端ベルト層の前記側縁帯域の内面表層の局部曲げに対する耐久性を向上させる措置として、該側縁帯域の内面表層が切除されれば、無端ベルト層全体の横断面積としてはこれをさして減ずることなく、ベルトがプーリの周りを回ることにより生ずる繰返し曲げによって最も疲労しやすい部分が無くなる。この場合、最内無端ベルト層は、当該側縁部にて内面表層部が切除されることによりそれに相当してより曲がりやすくなり（即ち、曲げによりベルト層内に生ずる圧縮応力は小さくなり）、無端ベルト部材の繰返し曲げに対する最も敏感な疲労度はそれだけで低減される。
【００１９】
一方、最内無端ベルト層の側縁帯域の内面表層の局部曲げに対する耐久性を向上させる措置として、最内無端ベルト層の側縁帯域に対しそれより外側にある無端ベルト層から及ぼされる局部曲げによる曲げ荷重が低減されれば、それに応じて最内無端ベルト層の側縁帯域の内面表層に作用する局部曲げの曲げ応力の大きさや振幅は低減されるので、無端ベルト部材の繰返し曲げに対する最も敏感な疲労度はそれだけで低減される。
【００２０】
複数の無端ベルト層を重ねた無端ベルト部材に於いて、複数の無端ベルト層のうちの最内無端ベルト層の側縁帯域上に重なる少なくとも一つの無端ベルト層について最内無端ベルト層の前記側縁帯域上に重なる側縁帯域の厚みが低減されれば、当該少なくとも一つの無端ベルト層の側縁部に沿って作用する張力の大きさはその厚みの低減に応じて低減するので、当該少なくとも一つの無端ベルト層が最内無端ベルト層の側縁帯域に対し及ぼす局部曲げの曲げ荷重はそれだけ低減し、最内無端ベルト層の側縁帯域がそれより外側にある無端ベルト層から及ぼされる局部曲げの曲げ荷重はそれ相当に低減する。この場合、側縁帯域の厚みの低減が、その低減代を該側縁帯域の内側から外側へ向けて次第に増大させる態様になされていれば、最内無端ベルト層の側縁帯域にそれより外側にある無端ベルト層から及ぼされる局部曲げの曲げ荷重の分布に斑を生じさせず、該曲げ荷重分布の斑によって最内無端ベルト層の側縁帯域の何処かに曲げ荷重分布のピーク値が生ずることがないようにして、無端ベルト部材の繰返し曲げに対する最も敏感な疲労度をそれ相当に低減させることができる。
【００２１】
また、複数の無端ベルト層を重ねた無端ベルト部材に於いて、複数の無端ベルト層のうちの少なくとも二つの互いに隣接する無端ベルト層の少なくとも一方に於ける他方に対向する面に沿って最内無端ベルト層の側縁帯域上に重なる側縁帯域の厚みが低減されれば、一つの無端ベルト層の側縁部の厚みの低減により該一つの無端ベルト層が最内無端ベルト層の側縁帯域に対し及ぼす局部曲げの曲げ荷重が低減されることに加えて、二つの互いに隣接する無端ベルト層間に上側の無端ベルト層より下側の無端ベルト層への側縁部局部曲げに伴う曲げ荷重の伝播が軽減され、最内無端ベルト層の側縁帯域がそれより外側にある無端ベルト層から及ぼされる局部曲げの曲げ荷重は二重の効果により低減される。この場合にも、側縁帯域の厚みの低減が、その低減代を該側縁帯域の内側から外側へ向けて次第に増大させる態様になされていれば、最内無端ベルト層の側縁帯域にそれより外側にある無端ベルト層から及ぼされる局部曲げの曲げ荷重の分布に斑を生じさせず、該曲げ荷重分布の斑によって最内無端ベルト層の側縁帯域の何処かに曲げ荷重分布のピーク値が生ずることがないようにして、無端ベルト部材の繰返し局部曲げに対する最も敏感な疲労度をそれ相当に低減させることができる。
【００２２】
局部曲げに対する耐久性を向上させる措置が施される側縁帯域が、前記窪み上に突き出る可能性のある側縁帯域のみされれば、駒部材の肩部により支持されない状態が生ずる側縁帯域の幅自体は無端ベルトの全幅に比して極僅かであり、この僅かの幅の側縁帯域にそれが肩部により支持されないことによる局部曲げに対し内面表層局部曲げに対する耐久性を向上させる措置を講ずることは、上記の特許文献１〜４に記載されている如き無端ベルトの横断面形状の変更と比較して、無端ベルトの横断面積を減ずる程度は極軽微であり、即ち無端ベルトの横断面の殆どの部分を無垢のままとし、この種の無端ベルトの横断面的強度を高く維持しつつ、その僅かの側縁帯域が局部曲げにより無端ベルトの耐久性を低下させることを効果的に抑制することができる。
【発明を実施するための最良の形態】
【００２３】
図１は、本発明による無端ベルトの一つの実施の形態としての無端ベルト１がプーリ２と３の間に掛け渡されたベルト式無段変速装置の一例を示す概略図である。無端ベルト１は多数の駒部材１０と一対の無端ベルト１２ａ、１２ｂとを組み合わせたものであり、図１に表わされている構造の限りでは、無端ベルト１はこの種の公知の無端ベルトと変わらない。プーリ２および３は、それぞれ互いに中心軸線２ｃおよび３ｃに沿って対向する円錐状のベルト係合面を呈する一対のプーリ半体を備えており、図１に於いては各一対のプーリ半体のうちの一方である２ａおよび３ａのみが見えている。図１に於ける切断線II−IIによる断面が、図２として示されている。図２は隣接する二つの駒部材１０の間に沿ってプーリ半体２ａおよび２ｂと一対のベルト部材１２ａおよび１２ｂとを切断した図である。図２についても、図には、この種の公知の無端ベルトに対比した本発明の特徴は、それが寸法的に微細であることによって現れていない。プーリ半体２ａおよび２ｂはそれぞれ円錐状のベルト係合面２ｃおよび２ｄを呈しており、円錐状ベルト係合面２ｃおよび２ｄの頂角は互いに同一の角度となっている。プーリ３についてのプーリ半体３ａおよびこれと対をなす他方のプーリ半体（図示せず）の更なる詳細は図示されていないが、これらのプーリ半体についても同様のベルト係合面が設けられている。
【００２４】
無端ベルト部材１２ａおよび１２ｂは、図示の例では略同一厚みの複数の無端ベルト層１２ａ−１，１２ａ−２，．．．１２ａ−ｎおよび１２ｂ−１，１２ｂ−２，．．．１２ｂ−ｎを重ね合わせたものとなっている。（図２では中間部の厚み表示が破線にて省略されている。）無端ベルト層１２ａ−１等はマルエージング鋼等の鋼板によりなっていてよい。
【００２５】
駒部材１０は、そのヘッド部１０ａの一方の面に突き出た凸部１０ｂと他方の面より窪んだ凹部１０ｃとを備え、互いに隣接するものどうしの凸部１０ｂと凹部１０ｃとが互いに係合することにより、互いに隣接する駒部材１０の間の相対位置を規制する駒部材相互位置決め手段が構成されている。各駒部材１０のヘッド部１０ａには首部１０ｄを介して基部１０ｅが繋がっており、基部１０ｅの両側縁がプーリ２および３のベルト係合面２ｃ、２ｄ等と係合する一対のプーリ係合面１０ｆおよび１０ｇをなしている。基部１０ｅには一対の無端のベルト部材を受ける一対の肩部１０ｈおよび１０ｉが設けられている。首部１０ｄと肩部１０ｈおよび１０ｉの間の境界部には、滑らかに湾曲した窪み１０ｊおよび１０ｋが形成されている。図２には現れていないが、肩部１０ｈおよび１０ｉはそれぞれ径Ｒの円弧または楕円による中高形状に形成されている。
【００２６】
上記の如き無端ベルト１に於ける各要部の寸法或は数値は、一例として、以下の通りである。
Ｗｏ＝１３ｍｍ
Ｗｓ＝１１ｍｍ
Ｗｂ＝１２ｍｍ
ｔ＝０．１９ｍｍ
ｎ＝９
Ｒ＝２５０ｍｍ
【００２７】
図３は、図２にてIIIを付した部分を拡大し、プーリの周りを走行する湾曲状態の無端ベルト部材に張力が作用している状態で無端ベルト部材の側縁部が駒部材の肩部の縁よりはみ出すことによって肩部による支持を失い、該側縁部がプーリの中心へ向けて内向きに局部的に湾曲した状態を示す図である。但し、図３に於いて、湾曲の度合は、図示の都合上誇張されている。尚、無端ベルト部材の駒部材首部１０ｄとは隔たった側の側縁部は、図２に示されている如く、その端縁まで駒部材の肩部１０ｈまたは１０ｉにより完全に支持されており、かかる側縁部には上記の如き局部的湾曲は生じず、これらの側縁部は図２にてIIIを付した部分について以下に説明する措置は施されず、無垢のままである。
【００２８】
図３より理解される通り、このとき、無端ベルト部材が複数の無端ベルト層の重合体よりなっていると、無端ベルト部材は厚み方向に重なる各無端ベルト層間で相互に横方向にずれることができるので曲がりやすいことから、肩部による支持が失われた側縁部は大きく内向きに湾曲し、しかも特に最内層の無端ベルト層１２ｂ−１は、それ自身の側縁部に作用する張力とその上に重なり合う無端ベルト層１２ｂ−２〜１２ｂ−ｎから内向きに及ぼされる押圧力とにより、最も大きく曲げられる。従って、かかる曲げの繰返しによる疲労度は、最内無端ベルト層１２ｂ−１の窪み１０ｋに臨んだ側縁部（無端ベルト１２ａに於いては１２ａ−１の窪み１０ｊに臨んだ側縁部）に於いて最も高くなり、かかる無端ベルト層重合型無端ベルト部材の疲労による強度低下はこの部分から始まる。
【００２９】
図４は、これに対する本発明による対抗措置のいくつかの実施の形態を説明の冗長化回避のため重複して一つの図に集めて示す図であり、それが示す無端ベルト内の箇所は、図３との対比に於いて明らかな通り、図３の要部に対応している。
【００３０】
本発明による対抗措置、即ち最内無端ベルト層（図４で見て無端ベルト層１２ｂ−１、以下同様）の側縁部であって駒部材の肩部１０ｉにより支持されない状態が生ずる側縁帯域１２ｂ−１−ｗのみに於ける内面表層１２ｂ−１−ｗ−ｓに対し疲労を低減する措置、の第一は、該内面表層１２ｂ−１−ｗ−ｓを図４に示す如く切除することである。内面表層１２ｂ−１−ｗ−ｓが切除されれば、ベルトがプーリの周りを回ることにより生ずる側縁帯域１２ｂ−１−ｗの局部繰返し曲げによって最も疲労しやすい部分が無くなる。この場合、最内無端ベルト層１２ｂ−１の側縁帯域１２ｂ−１−ｗは内面表層１２ｂ−１−ｗ−ｓの切除によってその分薄くなって曲げにより生ずる曲げ応力は小さくなるので、側縁帯域１２ｂ−１−ｗの残る部分は内面表層１２ｂ−１−ｗ−ｓに比して局部繰返し曲げに対しより疲労しにくくなり、この部分を起点とする無端ベルト部材の強度低下をより効果的に防止することができる。
【００３１】
本発明による上記対抗措置の第二は、最内無端ベルト層１２ｂ−１の側縁部であって駒部材の肩部１０ｉにより支持されない状態が生ずる側縁帯域１２ｂ−１−ｗに対しそれより外側にある無端ベルト層から及ぼされる曲げ荷重を低減することである。これには、基本的に以下の二つの態様がある。その一つは、複数の無端ベルト層のうちの最内無端ベルト層の上に重なる少なくとも一つの無端ベルト層（例えば１２ｂ−２）に於いて、下の無端ベルト層の側縁帯域１２ｂ−１−ｗ上に重なるその側縁帯域（１２ｂ−２−ｗ）の厚みを低減することである。かかる無端ベルト層側縁帯域の厚みの低減は、図示の例では無端ベルト層１２ｂ−２〜１２ｂ−９のいずれについて行われてもよく、またいくつの無端ベルト層について行われてもよい。
【００３２】
上記の如く複数の無端ベルト層のうちの最内無端ベルト層の側縁帯域１２ｂ−１−ｗ上に重なる任意の一つの無端ベルト層（例えば１２ｂ−２）に於いてその側縁帯域（１２ｂ−２−ｗ）の厚みが低減されれば、当該無端ベルト層の側縁部に沿って作用する張力の大きさはその厚みの低減に応じて低減するので、当該無端ベルト層が最内無端ベルト層の側縁帯域に対し及ぼす曲げ荷重はそれだけ低減し、最内無端ベルト層の側縁帯域がそれより外側にある無端ベルト層から及ぼされる局部曲げの曲げ荷重はそれ相当に低減する。
【００３３】
また、上記の側縁帯域の厚みの低減は、側縁帯域の一部または全体にわたって一様にまたはその他任意の同効果を発揮することのできる態様にて行なわれてよいが、特に図４に１２ｂ−１−ｗ−ｕ，１２ｂ−２−ｗ−ｄ，１２ｂ−２−ｗ−ｕ〜１２ｂ−９−ｗ−ｄ，１２ｂ−９−ｗ−ｕとして例示されている如くその低減代が該側縁帯域の内側から外側へ向けて次第に増大する態様になされてよく、そのようにすることによって最内無端ベルト層の側縁帯域１２ｂ−１−ｗにそれより外側にある無端ベルト層から及ぼされる局部曲げの曲げ荷重の分布に斑を生じさせず、該曲げ荷重分布の斑によって最内無端ベルト層の側縁帯域の何処かに曲げ荷重分布のピーク値が生ずることがないようにして、本発明の作用効果を最大限に発揮させることができる。尚、図４に於いて、側縁帯域の厚みの低減は、側縁帯域の曲り度が図示の都合上誇張して示されているのと同様に、図示の都合上誇張して示されている。
【００３４】
本発明による上記対抗措置第二の基本的態様の他の一つは、複数の無端ベルト層のうちの少なくとも二つの互いに隣接する無端ベルト層（例えば１２ｂ−１および１２ｂ−２）の少なくとも一方に於ける他方に対向する面に沿って最内無端ベルト層の側縁帯域１２ｂ−１−ｗ上に重なる側縁帯域の厚みを低減することである。この場合、二つの互いに隣接する無端ベルト層を１２ｂ−１および１２ｂ−２とする例では、厚み低減が無端ベルト層１２ｂ−１について行われるとすれば、それは無端ベルト層１２ｂ−１の上面に沿っての厚みの低減（１２ｂ−１−ｗ−ｕ）であり、厚み低減が無端ベルト層１２ｂ−２について行われるとすれば、それは無端ベルト層１２ｂ−２の下面に沿っての厚みの低減（１２ｂ−２−ｗ−ｄ）である。このように二つの互いに隣接する無端ベルト層の側縁帯域間に隙間を設ける観点からの無端ベルト層側縁帯域の厚みの低減も、図示の例では無端ベルト層１２ｂ−１〜１２ｂ−９のいずれについて行われてもよく、またいくつの無端ベルト層について行われてもよい。
【００３５】
上記の如く複数の無端ベルト層のうちの少なくとも二つの互いに隣接する無端ベルト層の少なくとも一方に於ける最内無端ベルト層の他方に対向する面に沿って側縁帯域１２ｂ−１−ｗ上に重なる側縁帯域の厚みが低減されれば、厚みが低減された少なくとも一方の無端ベルト層の側縁部が最内無端ベルト層の側縁帯域に対し及ぼす曲げ荷重が低減されることに加えて、二つの互いに隣接する無端ベルト層の間にて上側の無端ベルト層より下側の無端ベルト層への側縁部曲げに伴う曲げ荷重の伝播が軽減され、最内無端ベルト層の側縁帯域がそれより外側にある無端ベルト層から及ぼされる局部曲げの曲げ荷重は二重の効果により低減される。
【００３６】
この場合にも、上記の側縁帯域の厚みの低減は、側縁帯域の一部または全体にわたって一様にまたはその他任意の同効果を発揮することのできる態様にて行なわれてよいが、特に図４に例示されている如くその低減代が該側縁帯域の内側から外側へ向けて次第に増大する態様になされてよく、そのようにすることによって、二つの互いに隣接する無端ベルト層の間の当りを滑らかにし、最内無端ベルト層の側縁帯域１２ｂ−１−ｗにそれより外側にある無端ベルト層から及ぼされる曲げ荷重の分布に斑を生じさせず、該曲げ荷重分布の斑によって最内無端ベルト層の側縁帯域の何処かに曲げ荷重分布のピーク値が生ずることがないようにして、本発明の作用効果を最大限に発揮させることができる。上記の隙間を設ける観点からの側縁帯域の厚みの低減についても、図４に於ける側縁帯域の厚みの低減は、側縁帯域の曲り度が図示の都合上誇張して示されているのと同様に、図示の都合上誇張して示されている。
【００３７】
以上のいずれの実施の形態に於いても、無端ベルトの最内層の側縁部であって駒部材の肩部により支持されない状態が生ずる側縁帯域についての該側縁帯域が肩部により支持されないときの局部曲げに対する内面表層の耐久性を向上措置は、無端ベルトの全幅のうちの一方の側縁部の極僅かな幅の部分に対して施される措置であり、その部分のベルト層の厚みが幾分低減されても、それによるベルトの横断面積の減少はベルトの全横断面積に比して極僅かであり、またそれは該一方側縁帯域以外の部分の強度に何ら悪影響をおよぼすものではない。
【００３８】
以上に於いては本発明をいくつかの実施の形態について詳細に説明したが、これらの実施の形態について本発明の範囲内にて種々の変更が可能であることは当業者にとって明らかであろう。
【図面の簡単な説明】
【００３９】
【図１】本発明による無端ベルトの一つの実施の形態としての無端ベルトが二つのプーリ間に掛け渡されたベルト式無段変速装置の一例を示す概略図。
【図２】図１に於ける切断線II−IIによる断面図。
【図３】図２にてIIIを付した部分を拡大し、プーリの周りを走行する湾曲状態の無端ベルト部材に張力が作用している状態で無端ベルト部材の側縁部が駒部材の肩部の縁よりはみ出すことによって肩部による支持を失い、該側縁部がプーリの中心へ向けて内向きに湾曲した状態を示す図。
【図４】本発明のいくつかの実施の形態を重複して一つの図に集めて示す図であり、それが示す無端ベルト内の箇所は図３の要部に対応する図。
【符号の説明】
【００４０】
１…無端ベルト、２…プーリ、２ａ，２ｂ…プーリ半体、２ｃ…プーリ半体の中心軸線、２ｃ，２ｄ…プーリ半体のベルト係合面、３…プーリ、３ａ…プーリ半体、３ｃ…プーリ半体の中心軸線、１０…駒部材、１０ａ…ヘッド部、１０ｂ…凸部、１０ｃ…凹部、１０ｄ…首部、１０ｅ…基部、１０ｆ，１０ｇ…プーリ係合面、１０ｈ，１０ｉ…肩部、１０ｊ，１０ｋ…窪み、１２ａ，１２ｂ…無端ベルト部材、１２ａ−１〜１２ａ−９，１２ｂ−１〜１２ｂ−９…無端ベルト層、１２ａ−１−ｗ〜１２ａ−９−ｗ，１２ｂ−１−ｗ〜１２ｂ−９−ｗ…無端ベルト層の側縁帯域、１２ｂ−１−ｗ―ｓ…最内無端ベルト層側縁帯域の内面表層、１２ｂ−１−ｗ−ｕ〜１２ｂ−９−ｗ−ｕ，１２ｂ−２−ｗ−ｄ〜１２ｂ−２−ｄ〜１２ｂ−９−ｗ−ｄ…無端ベルト層の厚み低減部
【図１】
2006038100.tif 000003
【図２】
2006038100.tif 000004
【図３】
2006038100.tif 000005
【図４】
2006038100.tif 000006